(57)【要約】【課題】容易に芯の補充ができるシャープペンシルを提供することを目的としている。【解決手段】軸筒２０が先端開口部３ａと後端開口部とを有し、軸筒２０の内部に、棒状の芯８を保持する芯繰出機構３０を備え、軸筒２０の後方に軸筒２０の後端開口部を封止するキャップ体５が配設されており、軸筒２０キャップ体５との間に連結部４０を設ける。【選択図】図２
2017119409.tif 000002
【特許請求の範囲】
【請求項１】
軸筒が棒状の芯が突出する先端開口部と該芯を補充するための後端開口部とを有し、前記軸筒の内部に前記芯を保持する芯保持部を有した芯繰出機構を配し、前記軸筒の後方に該軸筒の後端開口部を封止するキャップ体を配し、前記軸筒と前記キャップ体との間に連結部を設け、当該キャップ体を当該軸筒に対して水平移動可能に連結させたことを特徴とする芯繰出具。
【請求項２】
前記軸筒の側面に軸心に対して垂直方向へ押動可能な操作体を配設し、前記芯繰出機構に、軸心に対して垂直に掛かる力を軸心に沿った方向へ変換する運動方向変換部材を設け、前記操作体を軸心に向かって押動することで前記芯繰出機構を前進させ、前記軸筒の先端開口部から前記芯を突出可能に構成したことを特徴とする請求項１に記載の芯繰出具。
【発明の詳細な説明】
【技術分野】
【０００１】
本発明は、棒状の芯を繰り出すことが可能な芯繰出具に関する。
【背景技術】
【０００２】
軸筒の内部に、シャープペンシルの芯や色鉛筆やクレヨンなど棒状の芯を収容し、該芯の先端部を軸筒より繰り出して軸筒の先端開口部から当該芯を突出させた状態で紙面などへの筆記や塗布を行なう芯繰出具はよく知られている。
【０００３】
棒状の芯を軸筒内に収容し、該軸筒内に配設した芯繰出機構を作動させて該軸筒の先端から突出させて使用する芯繰出具では、筆記や塗布により芯が磨耗し、軸筒内の芯を使い切ると、新規の芯を軸筒内に補充して使用している。
この軸筒内への芯の補充は使用者の手間となるため、なるべく容易に芯が補充できる芯繰出具が望まれている。
【０００４】
前述の芯を容易に補充する芯繰出具は、筆記することで芯が磨耗しやすく、頻繁に芯を軸筒内に補充する必要があるシャープペンシルで特に望まれており、その解決策を示した構造が特許文献１に記載されている。
【０００５】
前記特許文献１にはキャップなどの部品を取り外さなくても片手で芯タンクの後端を開放状態とし、芯を簡単に補充することができる構成のシャープペンシルが記載されている。
この構造では、前軸部材の後部に前後にスライドする後軸部材とスライド部材とを配置し、スライド部材に対して後軸部材を傾動可能に構成することで、シャープペンシルを持った方の手でスライド部材及び後軸部材を後方へスライドさせ、後軸部材を傾動させて前軸部材の後端を開放させ芯を補充可能としている。
したがって特許文献１のシャープペンシルは、芯を補充するために芯タンクの後端を開放する動作をキャップや消しゴムなどの部品を外すことなく片手で行うことができるものであるが、前軸部材の後端を開放するためには、後軸部材及びスライド部材の後方への移動と後軸部材の傾動という二つの動作を必要とし、且つ構造が複雑になるという問題があった。
【先行技術文献】
【特許文献】
【０００６】
【特許文献１】特許４４２２６０２号公報
【発明の概要】
【発明が解決しようとする課題】
【０００７】
本発明は、前記問題を解決するために発明されたものであって、容易に芯の補充ができる芯繰出具を提供することを目的としている。
【課題を解決するための手段】
【０００８】
本発明は、
「１．軸筒が棒状の芯を突出させる先端開口部と該芯を補充するための後端開口部とを有し、前記軸筒の内部に前記芯を保持する芯保持部を有した芯繰出機構を配し、前記軸筒の後方に該軸筒の後端開口部を封止するキャップ体を配し、前記軸筒と前記キャップ体との間に連結部を設け、当該キャップ体を当該軸筒の軸心に対して直交する方向に水平移動可能に連結させたことを特徴とする芯繰出具。
２．前記軸筒の側面に軸心に対して垂直方向へ押動可能な操作体を配設し、前記芯繰出機構に、軸心に対して垂直に掛かる力を軸心に沿った方向へ変換する運動方向変換部材を設け、前記操作体を軸心に向かって押動することで前記芯繰出機構を前進させ、前記軸筒の先端開口部から前記芯を突出可能に構成したことを特徴とする前記１項に記載の芯繰出具。」である。
【０００９】
本発明における軸筒とキャップ体とを連結する連結部は、キャップ体を軸筒の軸心に対して直交する方向に水平移動させることで該軸筒の後端開口部が開放されるよう構成すればよく、その構成は限定されない。前記連結部の具体的な構成としては、例えば軸筒の後部に後方へ向かって突出する軸部を設け、キャップ体の前部に当該軸部に回動可能に掛着する凹部を形成し、軸筒に対してキャップ体を回動することで水平移動するよう構成してもよく、軸筒後端にレール部を設け、キャップ体に当該レール部に対してスライドするスライド部を設け、軸筒に対してキャップ体をスライド移動することで水平移動するよう構成してもよい。
【００１０】
また、本発明における軸筒内に収容した芯を繰り出す手段としては、軸筒の後方に設けたキャップ体に前後動可能な操作体を設け、操作体を前方へノック操作することで軸筒内の芯繰出機構を作動させて芯を繰り出す後端ノック式や、軸筒の側面に操作体を設け、操作体を軸心に対して垂直方向にノック操作することで軸筒内の芯繰出機構を作動させて芯を繰り出すサイドノック式を採用できるが、サイドノック式を用いた場合、軸筒の後方に配設するキャップ体に操作体を設ける必要がなくなり、構造を単純化できるため好適である。
尚、サイドノック式を用いた場合、操作体を軸筒の前方部に設けることでキャップ体を長く形成することができるため、例えばシャープペンシルにおいては、キャップ体の内部に筆跡を消去するための消しゴムをキャップ体に合わせて長く形成することが可能となる。
【発明の効果】
【００１１】
本発明では、容易に芯の補充ができる芯繰出具を得ることができた。
【図面の簡単な説明】
【００１２】
【図１】本実施例のシャープペンシルの側面図である。
【図２】図１のシャープペンシルの縦断面図である。
【図３】図１の状態からキャップ体を回動して芯タンクの後端を開放した状態を示す縦断面図である。
【発明を実施するための形態】
【００１３】
以下に、図面を参照して本実施例のシャープペンシルについて説明をするが、本発明はシャープペンシルに限定されるものではなく、色鉛筆やクレヨンあるいは固形糊や口紅やリップクリームなど棒状の芯を用いた芯繰出具に用いることができる。
尚、本実施例では、筆記先端部がある側を前方と表現し、その反対側を後方と表現する。また、軸筒の軸心に近い側を内方と表現し、その反対側を外方と表現する。
【００１４】
図１は、本実施例のシャープペンシルの側面図であり、図２は、図１のシャープペンシルの縦断面図である。図１及び図２に示すように、シャープペンシル１は、筒状に形成された軸筒本体２と、軸筒本体２の前部に螺合された先口３と、軸筒本体２の側面に装着された操作体４と、軸筒本体２の後部に連結された筒状のキャップ体５を備えている。また、キャップ体５は、キャップ体５の後部に取り付けられた消しゴムホルダー６と、消しゴムホルダー６に装着され消しゴムホルダー６の後端から後方に突出する消しゴム７とを備えている。更に、先口３には棒状の芯８が出没する先端開口部３ａが形成されている。尚、本実施例では、軸筒本体２と先口３とで軸筒２０を構成してある。
【００１５】
図２に示すように、軸筒２０の内方には、頭部９ａが二分割された芯保持部材であるチャック９と、チャック９の後部に圧入固着されているコネクター１０と、コネクター１０の後部に圧入固着したパイプ状の芯タンク１１とを備えている。また、チャック９の頭部９ａには締具１２が外嵌されており、締具１２を受け止める筒体１３とコネクター１０との間にチャックスプリング１４を取付荷重４００ｇで張架してチャック９を後方に弾発してある。尚、チャック９は筒体１３の前孔１３ａに遊嵌してあり、コネクター１０の後方且つ芯タンク１１の外方にはパイプ状に形成された運動方向変換部材１５が取り付けてある。
これにより、チャック９、コネクター１０、芯タンク１１、締具１２及びチャックスプリング１４にて芯８を繰り出すために前後動する芯繰出機構３０が構成され、芯繰出機構３０は筒体１３に対して前後動可能に構成してある。
【００１６】
筒体１３は、リング状の鍔部１３ｂと、後方に向かって延びる筒状部１３ｃとで構成されている。尚、筒体１３は、軸筒本体２の前端と軸筒本体２に螺合された先口３の第一内段部３ｂとで筒体１３を挟むことにより軸筒２０内に固定されている。
また、先口３には芯８を適度の力で保持する合成ゴムで形成した芯ホルダー１６を内蔵してある。
【００１７】
締具１２はチャック９の頭部９ａに外嵌され、筒体１３の前端と先口３の内面の第ニ内段部３ｃとの間に前後動可能に遊嵌してある。
【００１８】
運動方向変換部材１５の後端は軸方向に対して傾斜した斜面部１５ａが形成されており、運動方向変換部材１５の前端はコネクター１０の側面に形成した突起部１０ａに当接させた状態で芯タンク１１に取り付けてある。
【００１９】
操作体４は、後部に形成した凹部４ａを軸筒本体２の側面の窓部に形成した後段部２ａに掛着し、後段部２ａを軸にして軸筒の内方へ向かって傾動可能に構成してある。また、操作体４の前端部４ｂは運動方向変換部材１５の斜面部１５ａに当接しており、操作体４を軸筒本体の内方へ向かって傾動させることで操作体４の前端部４ｂが斜面部１５ａを後方へ向かって滑り、その分、運動方向変換部材１５を前進させことができる。これにより前進した運動方向変換部材１５がコネクター１０及びチャック９を前進させ、チャックで保持された芯８を、先口３の先端開口部３ａから繰り出すことができる。
尚、操作体４の前方は軸心に沿った空間部を形成してあり、操作体４の前方を内方へ押動した際に、芯タンクに接触しないようにしてある。
【００２０】
芯タンク１１の後部には、前方へ向かって細くなる先窄み部１１ａを形成してあり、前部に比べて後部の内径を大きく形成してある。これにより芯タンク１１は後端が大きく開口した状態となるため、軸筒本体２の後端から芯を補充する際、芯８を芯タンク１１内へ挿入することが容易となる。
【００２１】
また、軸筒本体２の後端には後端開口部２ｂを形成してあり、軸筒本体２の後方には後端開口部２ｂを閉鎖するキャップ体５を配設してある。また、軸筒本体２の後端開口部２ｂには後方へ突出する回動軸部２ｃを形成し、キャップ体５の前部には凹状の孔部５ａを形成し、回動軸部２ｃと孔部５ａを係着してキャップ体５を軸筒本体に対して回付動可能に連結してある、これにより、キャップ体５が軸筒２０の軸心に対して直交した方向に水平移動するための連結部４０が形成される。尚、回動軸部２ｃの前端には太径部２ｄを形成してあり、孔部５ａから回動軸部２ｃが外れないように構成してある。
更に、軸筒２０には、回動軸部２ｃに対して軸心を挟んだ反対側の側面に外方へ向かって突出する凸部２ｅを形成してある。一方、キャップ体５の前部には前方へ向かって突出した突出部５ｂが形成してあり、突出部５ｂの内面には凹部５ｃを形成してある。このため、軸筒本体２の凸部２ｄを凹部５ｃに係着することで、キャップ体５が軸筒２０に対して簡単には回動しないように構成されている。
【００２２】
また、キャップ体５には後孔５ｄが形成してあり、後孔５ｄに消しゴムホルダー６を装着してある。更に、消しゴムホルダー６の内孔６ａには消しゴム７が着脱自在に取り付けてある。
尚、図示しないがキャップ体５の後孔に取り付ける消しゴムホルダー及び消しゴムは、公知の消しゴム繰り出し機構である回転繰り出し式やスライド式を用いて、キャップ体５から消しゴム７を出没可能に構成してもよい。
【００２３】
次に図２及び図３を用いて、本実施例のシャープペンシル１の芯タンク１１に芯を補充する状態を説明する。
図２の状態から補充用の芯を芯タンク１１に補充する場合、軸筒２０を支えつつ、キャップ体５を側面から押動すると、軸筒本体２の凸部２ｄからキャップ体５の凹部５ｃが外れ、キャップ体５が連結部４０である軸筒２０の回転軸部２ｃを軸にして回動され、図３の状態となる。その結果、芯タンク１１の後端開口部２ｂが開放され、軸筒本体２０の後端開口部２ｂから補充用の芯を芯タンク１１に挿入できる。その際、芯タンク１１の後部に形成した先窄み部１１ａにより芯タンク１１内に芯が誘導される。その後、回動したキャップ体５を図２の状態の戻すように再度回動し、軸筒本体２の凸部２ｄにキャップ体５の凹部を係着することで芯の補充が完了する。
【００２４】
したがって、キャップ体５を容易に回動して芯タンクの後端を開放させ、芯の補充ができるシャープペンシル１を得ることができた。
【符号の説明】
【００２５】
１…シャープペンシル、
２…軸筒本体、２ａ…後段部、２ｂ…後端開口部、２ｃ…回動軸部、２ｄ…太径部、
２ｅ…凸部、
３…先口、３ａ…先端開口部、３ｂ…第一内段部、３ｃ…第ニ内段部、
４…操作体、４ａ…凹部、４ｂ…前端部、
５…キャップ体、５ａ…孔部、５ｂ…突出部、５ｃ…凹部、５ｄ…後孔、
６…消しゴムホルダ−、６ａ…内孔、
７…消しゴム、
８…芯、
９…チャック、９ａ…頭部、
１０…コネクター、１０ａ…突起部、
１１…芯タンク、１１ａ…先窄み部、
１２…締具、
１３…筒体、１３ａ…前孔、１３ｂ…鍔部、１３ｃ…筒状部、１３ｄ…前端部、
１４…チャックスプリング、
１５…運動方向変換部材、１５ａ…斜面部、
１６…芯ホルダー、
２０…軸筒、
３０…芯繰出機構、
４０…連結部。
【図１】
2017119409.tif 000003
【図２】
2017119409.tif 000004
【図３】
2017119409.tif 000005